(57)【要約】【課題】体液の吸収を阻害しにくく且つ体液を戻しにくい、親油性薬剤を含む吸収性物品を提供すること。【解決手段】液透過性シート３と、液不透過性シート９と、それらの間に配置された吸収体１１とを備え、厚さ方向Ｔ及び平面方向Ｐを有する吸収性物品１であって、吸収性物品１が、液透過性シート３から吸収体１１の間に、親油性薬剤１３が配置された薬剤配置層１５を備え、吸収性物品１が、薬剤配置層１５と厚さ方向Ｔに重複する薬剤配置領域１７において、薬剤配置層１５を少なくとも圧搾している圧搾本体部２５と、圧搾本体部２５に隣接しており且つ薬剤配置層１５を圧搾していない圧搾隣接部３１とからなる薬剤配置層圧搾部２１を備え、圧搾本体部２５における親油性薬剤１３の坪量：ＢＷ1と、圧搾隣接部３１における親油性薬剤１３の坪量：ＢＷ2とが、関係式：ＢＷ1＜ＢＷ2を満たすことを特徴とする吸収性物品１。【選択図】図３
2019118507.tif 000002
【特許請求の範囲】
【請求項１】
液透過性シートと、液不透過性シートと、それらの間に配置された吸収体とを備え、厚さ方向及び平面方向を有する吸収性物品であって、
前記吸収性物品が、前記液透過性シートから前記吸収体の間に、親油性薬剤が配置された薬剤配置層を備え、
前記吸収性物品が、前記薬剤配置層と前記厚さ方向に重複する薬剤配置領域において、前記薬剤配置層を少なくとも圧搾している圧搾本体部と、当該圧搾本体部に隣接しており且つ前記薬剤配置層を圧搾していない圧搾隣接部とからなる薬剤配置層圧搾部を備え、
前記圧搾本体部における前記親油性薬剤の坪量：ＢＷ1と、前記圧搾隣接部における前記親油性薬剤の坪量：ＢＷ2とが、以下の関係式：
ＢＷ1＜ＢＷ2
を満たす、
ことを特徴とする、前記吸収性物品。
【請求項２】
前記圧搾本体部における前記親油性薬剤の薬剤密度が、前記圧搾隣接部における前記親油性薬剤の薬剤密度よりも低い、請求項１に記載の吸収性物品。
【請求項３】
前記吸収性物品が、前記薬剤配置領域において、前記薬剤配置層圧搾部に隣接しており且つ前記薬剤配置層を圧搾していない薬剤配置層非圧搾部をさらに備え、前記薬剤配置層非圧搾部における前記親油性薬剤の坪量：ＢＷ3が、以下の関係式：
ＢＷ1＜ＢＷ3＜ＢＷ2
を満たす、請求項１又は２に記載の吸収性物品。
【請求項４】
前記薬剤配置層非圧搾部における前記親油性薬剤の薬剤密度が、前記圧搾本体部における前記親油性薬剤の前記薬剤密度よりも高く且つ前記圧搾隣接部における前記親油性薬剤の前記薬剤密度よりも低い、請求項３に記載の吸収性物品。
【請求項５】
前記圧搾本体部が、低圧搾部と、前記低圧搾部内に配置され且つ前記低圧搾部より圧搾度の高い高圧搾部とを備え、前記高圧搾部における前記親油性薬剤の薬剤密度が、前記低圧搾部における前記親油性薬剤の薬剤密度よりも低い、請求項１〜４のいずれか一項に記載の吸収性物品。
【請求項６】
前記薬剤配置層が、前記厚さ方向に隣接する少なくとも２つの層であって、前記液透過性シート側に配置された液透過性シート側層と、前記液不透過性シート側に配置された液不透過性シート側層とから構成されるものに配置されている、請求項１〜５のいずれか一項に記載の吸収性物品。
【請求項７】
前記薬剤配置層において、前記液透過性シート側層における前記親油性薬剤の薬剤密度が、前記液不透過性シート側層における前記親油性薬剤の薬剤密度よりも高い、請求項６に記載の吸収性物品。
【請求項８】
前記液透過性シート側層が、布帛から構成される前記液透過性シートである、請求項６又は７に記載の吸収性物品。
【請求項９】
前記液透過性シートが開孔フィルムであり、前記圧搾本体部が、前記液透過性シート及び吸収体を圧搾している、請求項１〜７のいずれか一項に記載の吸収性物品。
【請求項１０】
前記圧搾本体部が、部分的に熱融着した熱融着性繊維を含む、請求項１〜９のいずれか一項に記載の吸収性物品。
【請求項１１】
前記吸収性物品が、前記薬剤配置領域において、前記親油性薬剤を、１．０〜３０．０ｇ／ｍ2の坪量で含む、請求項１〜１０のいずれか一項に記載の吸収性物品。
【請求項１２】
前記吸収性物品が、前記薬剤配置領域を、前記吸収体と前記厚さ方向に重複する範囲に少なくとも備えている、請求項１〜１１のいずれか一項に記載の吸収性物品。
【発明の詳細な説明】
【技術分野】
【０００１】
本開示は、吸収性物品に関する。
【背景技術】
【０００２】
生理用ナプキン等の吸収性物品では、着用者に種々の機能を付与するために、機能性成分、例えば、芳香成分、冷感成分、消臭成分、抗菌成分、スキンケア成分等を塗工することが行われている。
これらの吸収性物品では、吸収性物品の吸収性を阻害しないために、機能性成分を、吸収性物品の排泄口当接域以外の部分、例えば、サイド部に配置することが多い（例えば、特許文献１）。
【０００３】
また、特許文献２には、表面シートと、裏面シートと、前記表面シートと前記裏面シートとの間に配置され、体液を吸収する吸収材料を含む吸収層と、を備える吸収性物品であって、前記吸収層と前記表面シートとの間には、第４級アンモニウム塩の抗菌剤と香料とを含む機能性材料が配置された機能性材料領域が設けられており、前記機能性材料領域及び前記機能性材料領域と厚み方向において隣接する隣接層を前記厚み方向に圧縮した圧搾部が形成されている、吸収性物品が記載されている。
【先行技術文献】
【特許文献】
【０００４】
【特許文献１】特開２０１３−１４１５１１号公報
【特許文献２】特開２０１６−６７７４９号公報
【発明の概要】
【発明が解決しようとする課題】
【０００５】
特許文献２に記載の吸収性物品では、圧搾部が、機能性材料を含む機能性材料領域を圧縮することにより形成されており、圧搾部において、表面シート、機能性材料領域及び吸収層が圧縮されているため、圧搾部の形成後、機能性材料が、圧搾部に集まりやすく、圧搾部における機能性材料の密度が、圧搾部以外の領域における機能性材料の密度と少なくとも同程度であり、そして圧搾部以外の領域における機能性材料の密度よりも高くなる場合もある。また、圧搾部における機能性材料の坪量が、圧搾部以外の領域における機能性材料の坪量と少なくとも同程度であり、そして圧搾部以外の領域における機能性材料の坪量よりも高くなる場合もある。その結果、例えば、機能性材料が親油性の高い薬剤である場合には、圧搾部に存在する親油性の機能性材料が、圧搾部に移行した体液を吸収体に移行させることを阻害する恐れがある。
従って、本開示は、体液の吸収を阻害しにくく且つ体液を戻しにくい、親油性薬剤を含む吸収性物品を提供することを目的とする。
【課題を解決するための手段】
【０００６】
本開示者らは、液透過性シートと、液不透過性シートと、それらの間に配置された吸収体とを備え、厚さ方向及び平面方向を有する吸収性物品であって、上記吸収性物品が、上記液透過性シートから上記吸収体の間に、親油性薬剤が配置された薬剤配置層を備え、上記吸収性物品が、上記薬剤配置層と上記厚さ方向に重複する薬剤配置領域において、上記薬剤配置層を少なくとも圧搾している圧搾本体部と、当該圧搾本体部に隣接しており且つ上記薬剤配置層を圧搾していない圧搾隣接部とからなる薬剤配置層圧搾部を備え、上記圧搾本体部における上記親油性薬剤の坪量：ＢＷ1と、上記圧搾隣接部における上記親油性薬剤の坪量：ＢＷ2とが、関係式：ＢＷ1＜ＢＷ2を満たすことを特徴とする吸収性物品を見出した。
【発明の効果】
【０００７】
本開示の、親油性薬剤を含む吸収性物品は、体液の吸収を阻害しにくく且つ体液を戻しにくい。
【図面の簡単な説明】
【０００８】
【図１】図１は、第１実施形態に従う吸収性物品１の平面図である。
【図２】図２は、吸収性物品１の、図１の領域ＩＩの部分拡大図である。
【図３】図３は、図２のＩＩＩ−ＩＩＩ端面における、吸収性物品１の端面図である。
【図４】図４は、第２実施形態に従う吸収性物品１の平面図である。
【図５】図５は、図４のＶ−Ｖ端面における、吸収性物品１の端面図である。
【図６】図６は、圧搾本体部及び圧搾隣接部を説明するための図である。
【図７】図７は、圧搾本体部及び圧搾隣接部を説明するための図である。
【図８】図８は、圧搾本体部及び圧搾隣接部を説明するための図である。
【発明を実施するための形態】
【０００９】
具体的には、本開示は、以下の態様に関する。
［態様１］
液透過性シートと、液不透過性シートと、それらの間に配置された吸収体とを備え、厚さ方向及び平面方向を有する吸収性物品であって、
上記吸収性物品が、上記液透過性シートから上記吸収体の間に、親油性薬剤が配置された薬剤配置層を備え、
上記吸収性物品が、上記薬剤配置層と上記厚さ方向に重複する薬剤配置領域において、上記薬剤配置層を少なくとも圧搾している圧搾本体部と、当該圧搾本体部に隣接しており且つ上記薬剤配置層を圧搾していない圧搾隣接部とからなる薬剤配置層圧搾部を備え、
上記圧搾本体部における上記親油性薬剤の坪量：ＢＷ1と、上記圧搾隣接部における上記親油性薬剤の坪量：ＢＷ2とが、以下の関係式：
ＢＷ1＜ＢＷ2
を満たす、
ことを特徴とする、上記吸収性物品。
【００１０】
上記吸収性物品では、圧搾本体部における親油性薬剤の坪量：ＢＷ1が、圧搾隣接部における親油性薬剤の坪量：ＢＷ2との間に、「ＢＷ1＜ＢＷ2」の関係式（以下、「第１関係式」と称する場合がある）を有する。従って、圧搾本体部に到達した体液が、圧搾本体部の内部を透過して吸収体に移行する間に接触する親油性薬剤の総量が、圧搾隣接部に到達した体液が、圧搾隣接部の内部を透過して吸収体に移行する間に接触する親油性薬剤の総量よりも少なくなる。その結果、圧搾本体部が、体液の吸収性に優れる。
【００１１】
一方、圧搾本体部は、圧搾本体部に隣接する圧搾隣接部を備えており、圧搾隣接部は、薬剤配置層を圧搾していないことから圧搾本体部よりも厚さ方向の高さ（肌当接面側の高さ）が高い傾向にあり且つ第１関係式を満たす量の親油性薬剤を有することから、吸収性物品に体圧等の加重が加わった場合であっても、圧搾隣接部が、圧搾本体部における体液の戻りを抑制し、そして圧搾本体部において体液が戻った場合であっても、圧搾隣接部が、体液が着用者に触れることを抑制することができる。
以上より、上記吸収性物品は、体液の吸収を阻害しにくく且つ体液を戻しにくい。
【００１２】
［態様２］
上記圧搾本体部における上記親油性薬剤の薬剤密度が、上記圧搾隣接部における上記親油性薬剤の薬剤密度よりも低い、態様１に記載の吸収性物品。
【００１３】
上記吸収性物品では、圧搾本体部における親油性薬剤の薬剤密度が、圧搾隣接部における親油性薬剤の薬剤密度よりも低い。従って、圧搾本体部において肌当接面又はその内部に留まっている体液が吸収体に向かって移動する際に親油性薬剤から受ける押戻し力が、圧搾隣接部において肌当接面又はその内部に留まっている体液が吸収体に向かって移動する際に親油性薬剤から受ける押戻し力よりも小さい。その結果、圧搾本体部が、体液の吸収性に優れる。
【００１４】
一方、圧搾隣接部において非肌当接面又はその内部に留まっている体液が肌当接面に向かって移動する際に親油性薬剤から受ける押戻し力は、圧搾本体部において非肌当接面又はその内部に留まっている体液が肌当接面に向かって移動する際に親油性薬剤から受ける押戻し力よりも大きくなる。従って、吸収性物品に体圧等の加重が加わった場合であっても、圧搾隣接部が、圧搾本体部における体液の戻りを抑制し、そして圧搾本体部において体液が戻った場合であっても、圧搾隣接部が、体液が着用者に触れることを抑制することができる。
【００１５】
［態様３］
上記吸収性物品が、上記薬剤配置領域において、上記薬剤配置層圧搾部に隣接しており且つ上記薬剤配置層を圧搾していない薬剤配置層非圧搾部をさらに備え、上記薬剤配置層非圧搾部における上記親油性薬剤の坪量：ＢＷ3が、以下の関係式：
ＢＷ1＜ＢＷ3＜ＢＷ2
を満たす、態様１又は２に記載の吸収性物品。
【００１６】
上記吸収性物品は、所定の薬剤配置層非圧搾部をさらに備えるとともに、薬剤配置層非圧搾部における親油性薬剤の坪量：ＢＷ3と、圧搾本体部の親油性薬剤の坪量：ＢＷ1及び圧搾隣接部における親油性薬剤の坪量：ＢＷ2とが、「ＢＷ1＜ＢＷ3＜ＢＷ2」の関係式（以下、「第２関係式」と称する場合がある）を有するため、吸収性物品に体圧等の加重が加わった場合に、薬剤配置層非圧搾部に配置された親油性薬剤が、吸収体が保持している体液が着用者に触れる（戻る）ことを抑制することができる。
なお、圧搾本体部が、体液の吸収性に優れるとともに、圧搾隣接部が、圧搾本体部における体液の戻りを抑制し、そして圧搾本体部において体液が戻った場合であっても、圧搾隣接部が、体液が着用者に触れることを抑制することができることについては、上述の通りである。
【００１７】
［態様４］
上記薬剤配置層非圧搾部における上記親油性薬剤の薬剤密度が、上記圧搾本体部における上記親油性薬剤の上記薬剤密度よりも高く且つ上記圧搾隣接部における上記親油性薬剤の上記薬剤密度よりも低い、態様３に記載の吸収性物品。
【００１８】
上記吸収性物品では、薬剤配置層非圧搾部における親油性薬剤の薬剤密度が、圧搾本体部における親油性薬剤の薬剤密度よりも高く且つ圧搾隣接部における親油性薬剤の薬剤密度よりも低い。従って、薬剤配置層非圧搾部において非肌当接面又はその内部に留まっている体液が、肌当接面に向かって移動する（戻ろうとする）際に親油性薬剤から受ける押戻し力が、圧搾本体部において非肌当接面又はその内部に留まっている体液が、肌当接面に向かって移動する（戻ろうとする）際に親油性薬剤から受ける押戻し力よりも大きくなる。
その結果、薬剤配置層非圧搾部が、体液の耐戻り性に優れる。
【００１９】
なお、圧搾本体部が、体液の吸収性に優れるとともに、圧搾隣接部が、圧搾本体部における体液の戻りを抑制し、そして圧搾本体部において体液が戻った場合であっても、圧搾隣接部が、体液が着用者に触れることを抑制することができることについては、上述の通りである。
【００２０】
［態様５］
上記圧搾本体部が、低圧搾部と、上記低圧搾部内に配置され且つ上記低圧搾部より圧搾度の高い高圧搾部とを備え、上記高圧搾部における上記親油性薬剤の薬剤密度が、上記低圧搾部における上記親油性薬剤の薬剤密度よりも低い、態様１〜４のいずれか一項に記載の吸収性物品。
【００２１】
上記吸収性物品では、圧搾本体部が、低圧搾部と、低圧搾部内に配置された高圧搾部とを備えるとともに、高圧搾部における親油性薬剤の薬剤密度が、低圧搾部における親油性薬剤の薬剤密度より低い。従って、繊維密度の高い圧搾本体部の中でも特に繊維密度が高く、体液を引き込む能力が高い高圧搾部が、体液の吸収性に優れる。一方、低圧搾部は、高圧搾部よりも、吸収性物品の厚さ方向の高さ（肌当接面側の高さ）が高い傾向にあり且つ所定量の親油性薬剤を有することから、吸収性物品に体圧等の加重が加わった場合であっても、低圧搾部が、高圧搾部における体液の戻りを抑制し、そして高圧搾部において体液が戻った場合であっても、低圧搾部が、体液が着用者に触れることを抑制することができる。
【００２２】
［態様６］
上記薬剤配置層が、上記厚さ方向に隣接する少なくとも２つの層であって、上記液透過性シート側に配置された液透過性シート側層と、上記液不透過性シート側に配置された液不透過性シート側層とから構成されるものに配置されている、態様１〜５のいずれか一項に記載の吸収性物品。
【００２３】
上記吸収性物品では、薬剤配置層が、隣接する液透過性シート側層及び液不透過性シート側層とに配置されているため、親油性薬剤の薬効を着用者に長時間にわたって付与することができる。
また、圧搾本体部に存在する親油性薬剤が、体液が圧搾本体部の内部に浸透することと、圧搾本体部に浸透した体液が、吸収体に移行することとを阻害しにくい一方で、薬剤配置層の厚さが厚くなるため、薬剤配置領域において、吸収体に移行した体液等が着用者に触れる（戻る）ことを抑制することができる。
【００２４】
［態様７］
上記薬剤配置層において、上記液透過性シート側層における上記親油性薬剤の薬剤密度が、上記液不透過性シート側層における上記親油性薬剤の薬剤密度よりも高い、態様６に記載の吸収性物品。
【００２５】
上記吸収性物品では、薬剤配置層において、液透過性シート側層における親油性薬剤の薬剤密度が、液不透過性シート側層における親油性薬剤の薬剤密度よりも高いので、着用者に、親油性薬剤の薬効を、着用後早期から、長時間にわたって付与することができる。
また、薬剤配置層の厚さが厚くなるとともに、着用者の肌に近い液透過性シート側層における薬剤密度が高いため、薬剤配置領域において、吸収体に移行した体液等が着用者に触れる（戻る）ことを抑制することができる。
【００２６】
［態様８］
上記液透過性シート側層が、布帛から構成される上記液透過性シートである、態様６又は７に記載の吸収性物品。
【００２７】
上記吸収性物品では、液透過性シート側層が、布帛から構成される液透過性シートであるため、着用者に、親油性薬剤の薬効を、着用後早期から付与することができる。
【００２８】
［態様９］
上記液透過性シートが開孔フィルムであり、上記圧搾本体部が、上記液透過性シート及び吸収体を圧搾している、態様１〜７のいずれか一項に記載の吸収性物品。
【００２９】
上記吸収性物品では、液透過性シートが開孔フィルムであるとともに、圧搾本体部が、液透過性シート及び吸収体を圧搾しているので、液透過性シートの肌当接面と、吸収体の液透過性シート側面との距離が近くなる。従って、上記吸収性物品では、圧搾本体部が、体液の引込性（体液の浸透性）に優れるとともに、圧搾隣接部に配置された親油性薬剤等が、吸収体に移行した体液及び圧搾本体部に存在する体液が着用者に触れる（戻る）ことを抑制することができる。
【００３０】
［態様１０］
上記圧搾本体部が、部分的に熱融着した熱融着性繊維を含む、態様１〜９のいずれか一項に記載の吸収性物品。
【００３１】
上記吸収性物品では、圧搾本体部が、部分的に熱融着した熱融着性繊維を含むので、圧搾本体部が、熱融着した熱融着性繊維の毛細管効果により、圧搾本体部に到達した体液を、圧搾本体部の内部に引き込みやすくなる。
【００３２】
［態様１１］
上記吸収性物品が、上記薬剤配置領域において、上記親油性薬剤を、１．０〜３０．０ｇ／ｍ2の坪量で含む、態様１〜１０のいずれか一項に記載の吸収性物品。
【００３３】
上記吸収性物品は、薬剤配置領域において、親油性薬剤を所定の坪量で含むため、着用者に薬剤の強い薬効を付与することができるとともに、体液の吸収を阻害しにくく且つ体液を戻しにくい。
【００３４】
［態様１２］
上記吸収性物品が、上記薬剤配置領域を、上記吸収体と上記厚さ方向に重複する範囲に少なくとも備えている、態様１〜１１のいずれか一項に記載の吸収性物品。
【００３５】
上記吸収性物品は、薬剤配置領域を、吸収体と厚さ方向に重複する範囲に少なくとも備えているので、吸収体と厚さ方向に重複する範囲において、着用者に、薬剤の薬効を付与することができるとともに、体液の吸収を阻害しにくく且つ体液を戻しにくい。
【００３６】
本開示の吸収性物品について、以下、詳細に説明する。
図１〜図３は、本開示の実施形態の１つ（以下、「第１実施形態」と称する）に従う吸収性物品１、具体的には、生理用ナプキンを説明するための図である。具体的には、図１は、吸収性物品１の平面図である。図２は、吸収性物品１の、図１の領域ＩＩの部分拡大図である。図３は、図２のＩＩＩ−ＩＩＩ端面における、吸収性物品１の端面図である。
【００３７】
吸収性物品１は、肌当接面５及び非肌当接面７を有する液透過性シート３と、液不透過性シート９と、液透過性シート３及び液不透過性シート９の間に配置された吸収体１１とを備える。吸収性物品１は、お互いに直交する長手方向Ｌと、幅方向Ｗと、厚さ方向Ｔとを有し、長手方向Ｌ及び幅方向Ｗは、平面方向Ｐを構成している。
【００３８】
吸収性物品１では、液透過性シート３は、複数の開孔部（図示せず）を有する開孔フィルムから構成され、吸収体１１が、パルプ繊維を含む吸収コア（図示せず）と、吸収コアを被覆するコアラップ（図示せず）とから構成されている。吸収性物品１は、薬剤配置層１５と、薬剤配置領域１７とを有する。薬剤配置層１５は、親油性薬剤１３が配置された吸収体１１により構成されており、そして薬剤配置層１５は、吸収体１１の幅方向Ｗの両側部に、長手方向Ｌに延びるように配置されている。また、薬剤配置領域１７は、吸収性物品１の、薬剤配置層１５と、厚さ方向Ｔに重複する領域である。
【００３９】
また、吸収性物品１は、液透過性シート３と、吸収体１１とを圧搾することにより形成された、複数の圧搾部１９を備える。複数の圧搾部１９は、薬剤配置領域１７に配置された薬剤配置層圧搾部２１と、薬剤配置領域１７以外の領域に配置された非薬剤配置層圧搾部２３とに区画される。
【００４０】
薬剤配置層圧搾部２１は、薬剤配置領域１７において、薬剤配置層１５（具体的には、親油性薬剤１３が配置された吸収体１１）を圧搾している圧搾本体部２５と、薬剤配置層１５（具体的には、親油性薬剤１３が配置された吸収体１１）を圧搾していない圧搾隣接部３１とから構成される。なお、圧搾隣接部３１と厚さ方向Ｔに重複する範囲では、薬剤配置層１５を構成する吸収体１１のみならず、液透過性シート３も圧搾されていない。圧搾隣接部３１は、平面方向Ｐにおいて、圧搾本体部２５に隣接している。圧搾本体部２５は、液透過性シート３及び薬剤配置層１５（具体的には、親油性薬剤１３が配置された吸収体１１）を圧搾することにより形成されている。
【００４１】
吸収性物品１では、圧搾本体部２５における親油性薬剤１３の坪量：ＢＷ1と、圧搾隣接部３１における親油性薬剤１３の坪量：ＢＷ2とが、ＢＷ1＜ＢＷ2の関係式（第１関係式）を満たす。そうすることにより、圧搾本体部２５が、体液の吸収性に優れる一方で、圧搾隣接部３１が、圧搾本体部２５における体液の戻りを抑制し、体液が着用者に触れることを抑制することができる。
【００４２】
また、吸収性物品１では、圧搾本体部２５における親油性薬剤１３の薬剤密度が、圧搾隣接部３１における親油性薬剤１３の薬剤密度よりも低い。そうすることにより、圧搾本体部２５に存在する親油性薬剤１３が、体液が圧搾本体部２５の内部に浸透することを阻害しにくく、そして吸収性物品１に体圧等の加重が加わった場合に、圧搾隣接部３１に配置された親油性薬剤１３が、吸収体１１に移行した体液及び圧搾本体部２５に存在する体液が着用者に触れる（戻る）ことを抑制することができる。
【００４３】
吸収性物品１は、薬剤配置領域１７において、薬剤配置層圧搾部２１、具体的には、薬剤配置層圧搾部２１の圧搾隣接部３１に隣接している薬剤配置層非圧搾部３３をさらに備える。薬剤配置層非圧搾部３３は、薬剤配置層１５を構成する吸収体１１を圧搾していない。また、薬剤配置層非圧搾部３３と厚さ方向Ｔに重複する範囲では、吸収体１１のみならず、液透過性シート３及び液不透過性シート９も圧搾されていない。
【００４４】
吸収性物品１では、薬剤配置層非圧搾部３３における親油性薬剤１３の坪量：ＢＷ3と、圧搾本体部２５における親油性薬剤１３の坪量：ＢＷ1及び圧搾隣接部３１における親油性薬剤１３の坪量：ＢＷ2とが、ＢＷ1＜ＢＷ3＜ＢＷ2の関係式（第２関係式）を満たす。そうすることにより、吸収性物品１に体圧等の加重が加わった場合に、薬剤配置層非圧搾部３３に配置された親油性薬剤１３が、吸収体１１が保持している体液が着用者に触れる（戻る）ことを抑制することができる。
【００４５】
また、薬剤配置層非圧搾部３３における親油性薬剤１３の薬剤密度は、圧搾本体部２５における親油性薬剤１３の薬剤密度よりも高く且つ圧搾隣接部３１における親油性薬剤１３の薬剤密度よりも低い。そうすることにより、薬剤配置層非圧搾部３３が、体液の耐戻り性に優れる。
【００４６】
吸収性物品１では、圧搾本体部２５が、低圧搾部２７と、低圧搾部２７内に配置され且つ低圧搾部２７より圧搾度の高い、複数の高圧搾部２９とを備えており、複数の高圧搾部２９のそれぞれの厚さ方向Ｔの高さ（肌当接面側の高さ）が、低圧搾部２７の厚さ方向Ｔの高さ（肌当接面側の高さ）よりも高い。
【００４７】
複数の高圧搾部２９のそれぞれにおける親油性薬剤１３の薬剤密度は、低圧搾部２７における親油性薬剤１３の薬剤密度よりも低い。そうすることにより、高圧搾部２９に存在する親油性薬剤１３が、体液が、高圧搾部２９に浸透することを阻害しにくくなる。また、吸収性物品１に体圧等の加重が加わった場合に、低圧搾部２７に配置された親油性薬剤１３が、吸収体１１に移行した体液及び高圧搾部２９に存在する体液が着用者に触れる（戻る）ことを抑制することができる。
【００４８】
図４及び図５は、本開示の別の実施形態（以下、「第２実施形態」と称する）に従う吸収性物品１０１、具体的には、生理用ナプキンを説明するための図である。具体的には、図４は、吸収性物品１０１の平面図である。図５は、図４のＶ−Ｖ端面における、吸収性物品１の端面図である。
【００４９】
吸収性物品１０１は、肌当接面１０５及び非肌当接面１０７を有する液透過性シート１０３と、液不透過性シート１０９と、液透過性シート１０３及び液不透過性シート１０９の間に配置された吸収体１１１とを備える。吸収性物品１０１は、お互いに直交する長手方向Ｌと、幅方向Ｗと、厚さ方向Ｔとを有し、長手方向Ｌ及び幅方向Ｗは、平面方向Ｐを構成している。
【００５０】
吸収性物品１０１では、液透過性シート１０３が不織布から構成され、吸収体１１１が、パルプ繊維を含む吸収コア（図示せず）と、吸収コアを被覆するコアラップ（図示せず）とから構成されている。吸収性物品１０１は、薬剤配置層１１５と、薬剤配置領域１１７とを有する。
【００５１】
薬剤配置層１１５は、親油性薬剤１１３が配置された液透過性シート１０３及び吸収体１１１により構成されている。換言すると、薬剤配置層１１５は、厚さ方向Ｔに隣接する２つの層である、液透過性シート１０３（液透過性シート側層）と、吸収体１１１（液不透過性シート側層）とに配置されている。薬剤配置領域１１７は、吸収体１１１と厚さ方向Ｔに重複する範囲に配置されている。すなわち、親油性薬剤１１３は、吸収体１１１と、厚さ方向Ｔに重複する範囲において、液透過性シート１０３及び吸収体１１１に配置されている。
【００５２】
また、吸収性物品１０１は、液透過性シート１０３と、吸収体１１１とを圧搾することにより形成された、複数の圧搾部１１９を備える。複数の圧搾部１１９は、全て、薬剤配置領域１１７に配置された薬剤配置層圧搾部１２１を構成している。
【００５３】
薬剤配置層圧搾部１２１は、薬剤配置領域１１７において、薬剤配置層１１５（具体的には、親油性薬剤１１３を含む液透過性シート１０３及び吸収体１１１）を圧搾している圧搾本体部１２５と、薬剤配置層１１５（具体的には、親油性薬剤１１３を含む吸収体１１１）を圧搾していない圧搾隣接部１３１とから構成されている。圧搾隣接部１３１は、平面方向Ｐにおいて、圧搾本体部１２５に隣接している。圧搾本体部１２５は、液透過性シート１０３及び薬剤配置層１１５（具体的には、親油性薬剤１１３を含む吸収体１１１）を圧搾することにより形成されている。
【００５４】
吸収性物品１０１では、圧搾本体部１２５における親油性薬剤１１３の坪量：ＢＷ1と、圧搾隣接部１３１における親油性薬剤１１３の坪量：ＢＷ2とが、第１関係式（ＢＷ1＜ＢＷ2）を満たす。そうすることにより、圧搾本体部１２５が、体液の吸収を阻害しにくい一方で、圧搾隣接部１３１が、体液が着用者に触れることを抑制することができる。
【００５５】
また、吸収性物品１０１では、圧搾本体部１２５における親油性薬剤１１３の薬剤密度が、圧搾隣接部１３１における親油性薬剤１１３の薬剤密度よりも低い。そうすることにより、圧搾本体部１２５に存在する親油性薬剤１１３が、体液が圧搾本体部１２５の内部に浸透することを阻害しにくく、そして吸収性物品１０１に体圧等の加重が加わった場合に、圧搾隣接部１３１に配置された親油性薬剤１１３が、吸収体１１１に移行した体液及び圧搾本体部１２５に存在する体液が着用者に触れる（戻る）ことを抑制することができる。
【００５６】
吸収性物品１０１は、薬剤配置領域１１７において、薬剤配置層圧搾部１２１、具体的には、その圧搾隣接部１３１に隣接している薬剤配置層非圧搾部１３３をさらに備える。薬剤配置層非圧搾部１３３は、薬剤配置層１１５を構成する液透過性シート１０３及び吸収体１１１を圧搾していない。
【００５７】
吸収性物品１０１では、薬剤配置層非圧搾部１３３における親油性薬剤１１３の坪量：ＢＷ3と、圧搾本体部１２５における親油性薬剤１１３の坪量：ＢＷ1及び圧搾隣接部１３１における親油性薬剤１１３の坪量：ＢＷ2とが、第２関係式（ＢＷ1＜ＢＷ3＜ＢＷ2）を満たす。そうすることにより、吸収性物品１０１に体圧等の加重が加わった場合に、薬剤配置層非圧搾部１３３に配置された親油性薬剤１１３が、吸収体１１１が保持している体液が着用者に触れる（戻る）ことを抑制することができる。
【００５８】
また、吸収性物品１０１では、薬剤配置層非圧搾部１３３における親油性薬剤１１３の薬剤密度は、圧搾本体部１２５における親油性薬剤１１３の薬剤密度よりも高く且つ圧搾隣接部１３１における親油性薬剤１１３の薬剤密度よりも低い。そうすることにより、吸収性物品１０１に体圧等の加重が加わった場合に、薬剤配置層非圧搾部１３３に配置された親油性薬剤１１３が、吸収体１１１が保持している体液が着用者に触れる（戻る）ことを抑制することができる。
【００５９】
吸収性物品１０１では、圧搾本体部１２５が、低圧搾部１２７と、低圧搾部１２７内に配置され且つ低圧搾部１２７より圧搾度の高い、複数の高圧搾部１２９とを備えており、複数の高圧搾部１２９のそれぞれにおける親油性薬剤１１３の薬剤密度が、低圧搾部１２７における親油性薬剤１１３の薬剤密度よりも低い。そうすることにより、薬剤配置層非圧搾部１３３が、体液の耐戻り性に優れる。
【００６０】
吸収性物品１０１では、液透過性シート側層である液透過性シート１０３における親油性薬剤１１３の薬剤密度が、液不透過性シート側層である吸収体１１１における親油性薬剤１１３の薬剤密度よりも高い。そうすることにより、着用者に、親油性薬剤１１３の薬効を、着用後早期から、長時間にわたって付与することができる。また、薬剤配置層１１５の厚さが厚くなるとともに、着用者の肌に近い液透過性シート１０３における薬剤密度が高いため、薬剤配置領域１１７において、吸収体１１１に移行した体液等が着用者に触れる（戻る）ことをより抑制することができる。
【００６１】
また、吸収性物品１０１では、圧搾本体部１２５において、液透過性シート１０３の不織布を構成する熱融着性繊維が、部分的に熱融着している。そうすることにより、圧搾本体部１２５が、部分的に熱融着した熱融着性繊維の毛細管効果により、圧搾本体部１２５に到達した体液を、圧搾本体部１２５の内部に引き込みやすくなる。
【００６２】
本開示の吸収性物品は、液透過性シートと、液不透過性シートと、それらの間に配置された吸収体とを備え、追加のシート、例えば、液透過性シート及び吸収体の間に配置された補助シート（例えば、拡散シート）、吸収体及び液不透過性シートの間に配置された補助シート等を含むことができる。
【００６３】
上記液透過性シートは、液透過性を有するものであれば特に制限されず、例えば、布帛（例えば、不織布、織布、編物）、開孔フィルム等から構成される。上記布帛は、吸収性物品の製造のしやすさの観点から不織布であることが好ましい。
上記不織布は、熱融着性繊維から構成されることが好ましく、そして上記熱融着性繊維としては、例えば、ポリオレフィン系ポリマー、例えば、ポリエチレン若しくはポリプロピレン；ポリエステル系ポリマー、例えば、テレフタレート系ポリマー、例えば、ポリエチレンテレフタレート（ＰＥＴ）、ポリブチレンテレフタレート、ポリペンチレンテレフタレート；ポリアミド系ポリマー、例えば、ナイロン６若しくはナイロン６，６；アクリル系ポリマー；ポリアクリロニトリル系ポリマー；又はそれらの変性物、あるいはそれらの組み合わせ等から形成された繊維が挙げられる。
【００６４】
上記追加のシートとしては、液透過性シートと同様のものが挙げられる。
上記吸収体としては、パルプ繊維、高吸収性ポリマー等を含む吸収コアを、コアラップで被覆したものが挙げられる。コアラップとしては、ティッシュ、不織布等が挙げられる。
【００６５】
本開示の吸収性物品では、親油性薬剤としては、当技術分野で親油性を有する薬剤として用いられているものが特に制限なく挙げられ、例えば、親油性を有する有効成分のみからなるもの、有効成分及び親油性溶媒を含むもの等が挙げられる。
上記有効成分としては、例えば、温感剤及び冷感剤が挙げられる。
上記温感剤としては、例えば、ＴＲＰチャネルを活性化するものが挙げられる。上記ＴＲＰチャネルを活性化する温感剤としては、例えば、ＴＲＰＶ１レセプターに対するアゴニスト、ＴＲＰＶ３レセプターに対するアゴニスト等が挙げられ、ＴＲＰＶ１に対するアゴニストであることが好ましい。
【００６６】
上記温感剤としては、例えば、カプシコシド、カプサイシン、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール、ジンゲロン、ヘスペリジン、及びピロリドンカルボン酸、並びにそれらの任意の組み合わせが挙げられる。
【００６７】
上記温感剤は、着用者が痛さ、痒さ等を感じにくい観点から、カプサイシンではないことが好ましく、そしてバニリルアルコールアルキルエーテル誘導体（例えば、バニリルエチルエーテル、バニリルブチルエーテル、バニリルペンチルエーテル、バニリルヘキシルエーテルショウガエキス、ジンジャーオイル、ジンゲロール、及びジンゲロン、並びにそれらの任意の組み合わせがより好ましい。
【００６８】
上記冷感剤としては、例えば、ＴＲＰチャネルを活性化するものが挙げられ、ＴＲＰチャネルを活性化する冷感剤としては、例えば、ＴＲＰＭ８レセプターに対するアゴニスト、ＴＲＰＡ１レセプターに対するアゴニスト等が挙げられ、ＴＲＰＭ８レセプターに対するアゴニストであることが好ましい。
【００６９】
上記冷感剤としては、例えば、メントール（例えば、ｌ−メントール）及びその誘導体（例えば、乳酸メンチル、メンチルグリセリルエーテル、例えば、ｌ−メンチルグリセリルエーテル）、サリチル酸メチル、カンファー、植物（例えば、ミント、ユーカリ）由来の精油等が挙げられる。
【００７０】
上記有効成分としては、冷却剤、例えば、気化熱により周囲の温度を下げる冷却剤が挙げられ、当該冷却剤として、例えば、アルコール、例えば、メタノール及びエタノールが挙げられる。
【００７１】
上記有効成分としては、例えば、シリコーンオイル、シリコーン、シリコーン系レジン等が挙げられる。
上記有効成分としては、例えば、酸化防止剤、例えば、ＢＨＴ（２，６−ジ−ｔ−ブチル−ｐ−クレゾール）、ＢＨＡ（ブチル化ヒドロキシアニソール）、没食子酸プロピル等が挙げられる。
【００７２】
上記有効成分としては、例えば、ビタミン、例えば、天然ビタミン又は合成ビタミンが挙げられる。上記ビタミンとしては、例えば、水溶性ビタミン、例えば、ビタミンＢ群、例えば、ビタミンＢ1、ビタミンＢ2、ビタミンＢ3、ビタミンＢ5、ビタミンＢ6、ビタミンＢ7、ビタミンＢ9、ビタミンＢ12等、ビタミンＣが挙げられる。
上記ビタミンとしては、例えば、脂溶性ビタミン、例えば、ビタミンＡ群、ビタミンＤ群、ビタミンＥ群、およびビタミンＫ群等が挙げられる。
上記ビタミンにはまた、それらの誘導体も含まれる。
【００７３】
上記有効成分としては、例えば、アミノ酸、例えば、アラニン、アルギニン、リジン、ヒスチジン、プロリン、ヒドロキシプロリン等、並びにペプチドが挙げられる。
【００７４】
上記有効成分としては、例えば、ゼオライト、例えば、天然ゼオライト、例えば、方沸石、菱沸石、輝沸石、ナトロライト、束沸石、及びソモソナイト、並びに、合成ゼオライトが挙げられる。
上記有効成分としては、例えば、コレステロール、ヒアルロン酸、レシチン、セラミド、プラセンタ、コラーゲン、エラスチン、スクワラン、ワセリン、トレハロース等が挙げられる。
【００７５】
また、上記有効成分としては、例えば、皮膚収斂剤、抗ニキビ剤、抗シワ剤、抗セルライト剤、美白剤、抗菌剤、抗カビ剤等が挙げられる。
上記皮膚収斂剤としては、例えば、酸化亜鉛、硫酸アルミニウム、タンニン酸等、油溶性皮膚収斂剤、例えば（内側温感領域、外側温感領域、所望による中央温感領域）、油溶性ポリフェノールが挙げられる。上記油溶性ポリフェノールとしては、天然の油溶性ポリフェノール、例えば、オオバクエキス、オトギリソウエキス、オドリコソウエキス、カモミラエキス、ゴボウエキス、サルビアエキス、シナノキエキス、セイヨウボダイジュエキス、シラカバエキス、スギナエキス、セージエキス、サルビアエキス、テウチグルミエキス、ハイビスカスエキス、ビワ葉エキス、ボダイジュエキス、ホップエキス、マロニエエキス、ヨクイニンエキス等が挙げられる。
【００７６】
上記抗ニキビ剤としては、例えば、サリチル酸、過酸化ベンゾイル、レゾルシノール、イオウ、エリスロマイシン、亜鉛等が挙げられる。
上記抗シワ剤としては、例えば、乳酸、サリチル酸、サリチル酸誘導体、グリコール酸、フィチン酸、リポ酸、リソフォスファチド酸が挙げられる。
【００７７】
上記抗セルライト剤としては、例えば、キサンチン化合物、例えば、アミノフィリン、カフェイン、テオフィリン、テオブロミン等が挙げられる。
上記美白剤としては、例えば、ナイアシンアミド、コウジ酸、アルブチン、グルコサミン及び誘導体、フィトステロール誘導体、アスコルビン酸及びその誘導体、並びにクワ抽出物及び胎盤抽出物が挙げられる。
【００７８】
また、上記有効成分としては、例えば、抗炎症成分、ｐＨ調整剤、抗菌剤、保湿剤、香料、色素、染料、顔料、植物抽出エキス等が挙げられる。上記抗炎症成分としては、例えば、天然由来の抗炎症剤、例えば、ボタン、オオゴン、オトギリソウ、カモミール、甘草、モモノハ、ヨモギ、シソエキス等、合成抗炎症剤、例えば、アラントイン、グリチルリチン酸ジカリウム等が挙げられる。
上記ｐＨ調整剤としては、肌を弱酸性に保つためのもの、例えば、リンゴ酸、コハク酸、クエン酸、酒石酸、乳酸等が挙げられる。
上記顔料としては、例えば、酸化チタンが挙げられる。
【００７９】
上記親油性溶媒としては、油脂、例えば、天然油（例えば、トリグリセリド等の脂肪酸エステル、ヤシ油、アマニ油等）、炭化水素（例えば、パラフィン、例えば、流動パラフィン）等が挙げられる。
【００８０】
本開示の吸収性物品では、親油性薬剤が配置された薬剤配置層は、任意の層、例えば、液透過性シート、所望による追加のシート、吸収体、及びそれらの任意の組み合わせに配置されうる。液透過性シートが薬剤配置層を構成する場合には、液透過性シートは、布帛であることが好ましい。
【００８１】
本開示の吸収性物品では、薬剤配置層が複数の層に配置されている場合には、薬剤配置層が、吸収性物品の厚さ方向に隣接する少なくとも２つの層であって、液透過性シート側に配置された液透過性シート側層と、液不透過性シート側に配置された液不透過性シート側層とから構成されるものに配置されることができる。
液透過性シート側層及び液不透過性シート側層の組み合わせとしては、例えば、液透過性シート及び補助シート（液透過性シート及び吸収体の間に配置されたもの）、補助シート及び吸収体（液透過性シート及び吸収体の間に配置されたもの）等が挙げられる。
【００８２】
本開示の吸収性物品において、薬剤配置層が、液透過性シート側層及び液不透過性シート側層を含む場合には、液透過性シート側層における親油性薬剤の薬剤密度が、液不透過性シート側層における親油性薬剤の薬剤密度よりも高いことが好ましい。着用者に、親油性薬剤の薬効を、着用後早期から、長時間にわたって付与することができるからである。また、薬剤配置層の厚さが厚くなるとともに、着用者の肌に近い液透過性シート側層における薬剤密度が高いため、薬剤配置領域において、吸収体に移行した体液等が着用者に触れる（戻る）ことをより抑制することができる。
【００８３】
上記薬剤密度の関係は、液透過性シート側層に、液不透過性シート側層よりも多い坪量の親油性溶媒を塗工することにより達成することができる。
また、上記薬剤密度の関係は、液透過性シート側層の親油性度を、液不透過性シート側層の親油性度よりも高くすること、液透過性シート側層の繊維密度を、液不透過性シート側層の繊維密度よりも高くすることにより保持しやすくなる。
【００８４】
また、液透過性シート側層の親油性度を、液不透過性シート側層の親油性度よりも高くすること、液透過性シート側層の繊維密度を、液不透過性シート側層の繊維密度よりも高くすることにより、液透過性シート側層又は液不透過性シート側層のいずれかに親油性薬剤を塗工した場合であっても、上述の薬剤密度の関係を保持するように、親油性薬剤が移動しやすくなり、そして吸収性物品に、販売時又は使用時に加圧が加わり、親油性薬剤が移動した場合であっても、親油性薬剤が、上述の薬剤密度の関係を保持するように戻りやすくなる。
【００８５】
液透過性シート側層の親油性度と、液不透過性シート側層の親油性度とは、液透過性シート側層及び液不透過性シート側層を構成する素材、例えば、不織布を構成する熱融着性繊維を、当技術分野で公知の親油化剤で処理する（例えば、熱融着性繊維に親油化剤を塗工する、熱融着性繊維の原料に親油化剤を練り込む）等により調整されうる。
【００８６】
本明細書では、液透過性シート側層及び液不透過性シート側層の親油性度の高低は、以下の通り評価される。
（１）温度：２０±５℃及び湿度：６５±５％ＲＨの恒温恒湿室に、協和界面化学株式会社の自動極小接触角計ＭＣＡ−Ｊを準備し、同恒温恒湿室に、液透過性シート側層及び液不透過性シート側層(以下、「サンプル」と称する）を２４時間静置する。
（２）ＭＣＡ−Ｊのインクジェットから、脱イオン水の微小液滴（２０ｐＬ）を、測定すべきサンプルの表面（サンプルが布帛の場合には繊維の表面、サンプルがシートの場合にはシートの表面）に滴下し、微小液滴の様子を経時で録画する。
【００８７】
（３）サンプルの表面に微小液滴が付着した直後の画像を画像解析し、微小液滴の、サンプルの表面に対する接触角を算出する。
（４）接触角は、異なる繊維２０本の計２０カ所の測定値の平均値を採用する。
（５）接触角が大きいサンプルを親油性が高いサンプルとし、接触角の小さいサンプルを親油性の低いサンプルとする。
【００８８】
上記繊維密度の高低は、液透過性シート側層及び液不透過性シート側層を光学顕微鏡等で観察することにより判断することができる。
【００８９】
なお、本明細書において、親油性薬剤の薬剤密度の高低は、液体窒素にて、吸収性物品中の薬剤を固化させた後、それらの断面（液透過性シート側層及び液不透過性シート側層の断面、圧搾本体部及び圧搾隣接部、並びに所望による薬剤配置層非圧搾部の断面等）を光学顕微鏡等で観察することにより、目視で評価することができる。
【００９０】
上記液透過性シート側層は、液透過性シート、特に布帛から構成される液透過性シートであることが好ましい。着用者に、親油性薬剤の薬効を、着用後早期から付与することができるからである。
【００９１】
本開示の吸収性物品は、薬剤配置層と、吸収性物品の厚さ方向に重複する薬剤配置領域において、圧搾本体部と、当該圧搾本体部に隣接している圧搾隣接部とからなる薬剤配置層圧搾部を備える。
【００９２】
上記圧搾本体部は、吸収性物品を構成する資材（例えば、液透過性シート、液不透過性シート、それらの間に配置された吸収体、所望による追加のシート）のうち、親油性薬剤が配置された薬剤配置層を少なくとも圧搾していればよく、親油性薬剤が配置されていない非薬剤配置層、例えば、開孔フィルムから構成される液透過性シートを圧搾していてもよい。なお、薬剤配置層については、上述のとおりである。
【００９３】
本開示の吸収性物品において、液透過性シートが開孔フィルムである場合には、圧搾本体部が、液透過性シート及び吸収体を圧搾していることが好ましい。液透過性シートの肌当接面と、吸収体の液透過性シート側面との距離が近くなることにより、上記吸収性物品では、圧搾本体部が、体液の引込性（体液の浸透性）に優れるとともに、圧搾隣接部に配置された親油性薬剤等が、吸収体に移行した体液及び圧搾本体部に存在する体液が着用者に触れる（戻る）ことを抑制することができるからである。
上記圧搾本体部は、吸収性物品の平面方向において、点状、線状等で配置されうる。
【００９４】
上記圧搾隣接部は、吸収性物品の平面方向において、上記圧搾本体部に隣接している。また、上記圧搾隣接部は、薬剤配置層を圧搾していない。なお、上記圧搾隣接部は、薬剤配置層以外の層、すなわち、吸収性物品を構成する資材のうち、薬剤が配置されていない非薬剤配置層を圧搾していてもよく、そして非薬剤配置層を圧搾していなくともよい。
【００９５】
圧搾本体部が点状で配置される場合には、上記圧搾隣接部は、以下の通り画定される。
（１）吸収性物品の平面方向において、圧搾隣接部の外縁形状を、所定の倍率に拡大して、圧搾隣接部の外延形状を画定する。すなわち、圧搾隣接部の外延形状と、圧搾隣接部の外延形状とは、相似形を有する。
（２）圧搾隣接部を、吸収性物品の平面方向において、圧搾本体部の外縁形状の中心と、圧搾隣接部の外縁形状の中心とが一致するように配置する。
（３）圧搾本体部の外縁形状と、圧搾隣接部の外縁形状とに囲まれる領域を、圧搾隣接部とする。
なお、上記所定の倍率は、長さ比で、好ましくは１．５倍、より好ましくは１．３倍、そしてさらに好ましくは１．１倍である。
【００９６】
なお、２つの圧搾本体部（「第１圧搾本体部」及び「第２圧搾本体部」と称する）が近接して配置されている場合であって、吸収性物品の平面方向において、第１圧搾本体部に隣接する圧搾隣接部（「第１圧搾隣接部」と称する）が、第２圧搾本体部と重複する場合には、第１圧搾隣接部には、第２圧搾本体部と重複する部分は含まれない。
【００９７】
例えば、図６に示されるように、圧搾本体部２０１の外縁形状２０３が、直径：ａを有する円形である場合には、圧搾隣接部２０７の外縁形状２０９は、圧搾本体部２０１の外縁形状２０３と相似形であり、直径：ｂを有する円形であるとともに、所定の倍率（ｂ／ａ倍、相似比）を有する。圧搾隣接部２０７は、圧搾本体部２０１の中心２０５と、圧搾隣接部２０７の中心２１１とを一致させるように配置し、圧搾本体部２０１の外縁形状２０３と、圧搾本体部２０１の外縁形状２０３とに囲まれる領域を意味する。なお、図６では、説明のため、圧搾本体部２０１と、圧搾隣接部２０７とのそれぞれの領域を、斜線で表現している。
【００９８】
圧搾本体部が線状で配置される場合には、上記圧搾隣接部は、以下の通り画定される。
（１）圧搾本体部の軸線と一致するように、圧搾隣接部の軸線を画定する。
（２）圧搾隣接部の外縁を、圧搾本体部の外縁の、圧搾隣接部の軸線からの距離（圧搾隣接部の軸線と直交する方向の距離）が、圧搾本体部の外縁の、圧搾本体部の軸線からの距離（圧搾本体部の軸線と直交する方向の距離）と所定の倍率を有するように配置する。
（３）圧搾隣接部の外縁と、圧搾本体部の外縁とに囲まれる領域を、圧搾隣接部とする。
なお、上記所定の倍率は、好ましくは１．５倍、より好ましくは１．３倍、そしてさらに好ましくは１．１倍である。
【００９９】
例えば、図７に示されるように、圧搾本体部３０１は、軸線３０３と、２つの外縁３０５とを備え、圧搾隣接部３０７は、軸線３０９と、２つの外縁３１１とを有する。圧搾本体部３０１の軸線３０３と、圧搾隣接部３０７の軸線３０９とは、一致するように配置されており、圧搾隣接部３０７の外縁３１１の、圧搾隣接部３０７の軸線３０９からの距離（軸線３０９と直交する方向の距離ｄ）が、圧搾本体部３０１の外縁３０５の、圧搾本体部３０１の軸線３０３からの距離（軸線３０３と直交する方向の距離ｃ）と、所定の倍率（ｄ／ｃ）を有する。圧搾隣接部３０７は、圧搾隣接部３０７の外縁３１１と、圧搾本体部３０１の外縁３０５とに囲まれる領域を意味する。なお、図７では、説明のため、圧搾本体部３０１と、圧搾隣接部３０７とのそれぞれの領域を、斜線で表現している。
【０１００】
図８は、圧搾本体部３０１が、円環構造を有する例であり、図７と同様であるため、説明は省略する。
【０１０１】
本開示の吸収性物品では、圧搾本体部における親油性薬剤の坪量：ＢＷ1（ｇ／ｍ2）と、圧搾隣接部における親油性薬剤の坪量：ＢＷ2（ｇ／ｍ2）とが、第１関係式（ＢＷ1＜ＢＷ2）を満たし、そして圧搾本体部における親油性薬剤の坪量：ＢＷ1（ｇ／ｍ2）が、圧搾隣接部における親油性薬剤の坪量：ＢＷ2（ｇ／ｍ2）の、好ましくは５０％以下、より好ましくは２０％以下、そしてさらに好ましくは１０％以下である。
圧搾本体部における親油性薬剤の坪量：ＢＷ1は、０ｇ／ｍ2であってもよい。
【０１０２】
圧搾本体部における親油性薬剤の坪量：ＢＷ1（ｇ／ｍ2）と、圧搾隣接部における親油性薬剤の坪量：ＢＷ2（ｇ／ｍ2）とが第１関係式を満たすことにより、圧搾本体部に到達した体液が、圧搾本体部の内部を透過して吸収体に移行する間に接触する親油性薬剤の総量が、圧搾隣接部に到達した体液が、圧搾隣接部の内部を透過して吸収体に移行する間に接触する親油性薬剤の総量よりも少なくなり、圧搾本体部に浸透した体液が、吸収体に移行することが阻害されにくくなる。体液が移行する際に、移行先に親油性薬剤が存在すると、水分を含む体液が、吸収体に移行しにくくなる傾向がある。
【０１０３】
なお、比較対象を親油性薬剤の坪量とする理由は、体液が、圧搾本体部において肌当接面から非肌当接面に到達するまでに接触する親油性薬剤の総量と、体液が、圧搾隣接部において肌当接面から非肌当接面に到達するまでに接触する親油性薬剤の総量との比は、圧搾本体部における親油性薬剤の坪量と、圧搾隣接部における親油性薬剤の坪量との比に等しいからである。
【０１０４】
一方、圧搾本体部は、圧搾本体部に隣接する圧搾隣接部を備えており、圧搾隣接部は、薬剤配置層を圧搾していないことから圧搾本体部よりも厚さ方向の高さ（肌当接面側の高さ）が高い傾向にあり且つ第１関係式を満たす量の親油性薬剤を有することから、吸収性物品に体圧等の加重が加わった場合であっても、圧搾隣接部が、圧搾本体部における体液の戻りを抑制し、そして圧搾本体部において体液が戻った場合であっても、圧搾隣接部が、体液が着用者に触れることを抑制することができる。
【０１０５】
本開示の吸収性物品では、薬剤配置領域における親油性薬剤の坪量は、特に制限なく、例えば、０．１〜３０．０ｇ／ｍ2である。本開示の吸収性物品では、薬剤配置領域における親油性薬剤の坪量が高い場合に、その効果が特に高く、当該観点からは、薬剤配置領域における親油性薬剤の坪量は、好ましくは１．０〜３０．０ｇ／ｍ2、より好ましくは２．０〜２５．０ｇ／ｍ2、そしてさらに好ましくは３．０〜１５．０ｇ／ｍ2である。
【０１０６】
本開示の吸収性物品において、親油性薬剤が第１関係式を満たすために、例えば、圧搾本体部を形成する前、又は形成した後に、圧搾本体部に、圧搾隣接部よりも少ない量の親油性薬剤を塗工することができる。
【０１０７】
また、親油性薬剤が第１関係式を満たす吸収性物品は、以下の一対のエンボスロールを用いて製造することができる。
例えば、複数の突起部を備えるエンボスロールと、アンビルロールとから構成される一対のエンボスロールであって、例えば、各突起部が湾曲した頂面を有するものを準備する。湾曲した頂面を有する突起部としては、例えば、突起部の中心ほど突出度が高く、突起部の周縁ほど突出度が低いもの（突起部の中心ほどアンビルロールとのギャップが小さく、突起部の周縁ほどアンビルロールとのギャップが大きいもの）が挙げられる。
【０１０８】
次いで、薬剤配置層に親油性薬剤を均一に塗工した後、上述の一対のエンボスロールを用いて、薬剤配置層等に、親油性薬剤が突起部の中心から周縁を通って圧搾本体部の外側、すなわち、圧搾隣接部に移動するように圧搾本体部を形成することにより、圧搾本体部に位置する親油性薬剤が、圧搾隣接部に移動し、親油性薬剤が第１関係式を満たす吸収性物品を製造することができる。
【０１０９】
本開示の吸収性物品では、圧搾本体部における親油性薬剤の薬剤密度が、圧搾隣接部における親油性薬剤の薬剤密度よりも低いことが好ましい。そうすることにより、圧搾本体部において肌当接面又はその内部に留まっている体液が吸収体に向かって移動する際に親油性薬剤から受ける押戻し力が、圧搾隣接部において肌当接面又はその内部に留まっている体液が吸収体に向かって移動する際に親油性薬剤から受ける押戻し力よりも小さくなる。その結果、圧搾隣接部と比較して、体液が、吸収体に移行することが阻害されにくくなる。その結果、圧搾本体部が、体液の吸収性に優れる。
【０１１０】
一方、圧搾隣接部において非肌当接面又はその内部に留まっている体液が肌当接面に向かって移動する際に親油性薬剤から受ける押戻し力は、圧搾本体部において非肌当接面又はその内部に留まっている体液が肌当接面に向かって移動する際に親油性薬剤から受ける押戻し力よりも大きくなる。従って、吸収性物品に体圧等の加重が加わった場合であっても、圧搾隣接部が、圧搾本体部における体液の戻りを抑制し、そして圧搾本体部において体液が戻った場合であっても、圧搾隣接部が、体液が着用者に触れることを抑制することができる。
なお、圧搾本体部における親油性薬剤の薬剤密度は、０であってもよい、すなわち、圧搾本体部に親油性薬剤が存在していなくともよい。
【０１１１】
本開示の吸収性物品が、薬剤配置領域において、薬剤配置層圧搾部に隣接しており且つ薬剤配置層を圧搾していない薬剤配置層非圧搾部をさらに備えることができる。薬剤配置層非圧搾部は、薬剤配置層を圧搾していなければよく、そして薬剤配置層非圧搾部は、薬剤配置層以外の層、すなわち、吸収性物品を構成する資材のうち、薬剤が配置されていない非薬剤配置層を圧搾していてもよく、そして非薬剤配置層を圧搾していなくともよい。
【０１１２】
薬剤配置層非圧搾部における親油性薬剤の坪量：ＢＷ3（ｇ／ｍ2）と、圧搾本体部における親油性薬剤の坪量：ＢＷ1（ｇ／ｍ2）及び圧搾隣接部における親油性薬剤の坪量：ＢＷ2（ｇ／ｍ2）とが、第２関係式（ＢＷ1＜ＢＷ3＜ＢＷ2）を満たすことが好ましい。また、薬剤配置層非圧搾部における親油性薬剤の坪量：ＢＷ3（ｇ／ｍ2）は、ＢＷ1＜ＢＷ3を満たすことを条件とし、圧搾隣接部における親油性薬剤の坪量：ＢＷ2（ｇ／ｍ2）の、好ましくは９０％以下、より好ましくは８０％以下、そしてさらに好ましくは７０％以下である。さらに、薬剤配置層非圧搾部における親油性薬剤の坪量：ＢＷ3（ｇ／ｍ2）は、ＢＷ1＜ＢＷ3を満たすことを条件とし、圧搾隣接部における親油性薬剤の坪量：ＢＷ2（ｇ／ｍ2）の、好ましくは１０％以上、より好ましくは２０％以上、そしてさらに好ましくは３０％以上である。
【０１１３】
そうすることにより、吸収性物品に体圧等の加重が加わった場合に、薬剤配置層非圧搾部に配置された親油性薬剤が、吸収体が保持している体液が着用者に触れる（戻る）ことを抑制することができる。
【０１１４】
なお、比較対象を親油性薬剤の坪量とする理由は、体液が、圧搾本体部において戻る、すなわち、圧搾本体部において非肌当接面から肌当接面に到達するまでに接触する親油性薬剤の量と、体液が、圧搾隣接部において戻る、すなわち、圧搾隣接部において非肌当接面から肌当接面に到達するまでに接触する親油性薬剤の量との比は、圧搾本体部における親油性薬剤の坪量と、圧搾隣接部における親油性薬剤の坪量との比に等しいからである。
【０１１５】
また、本開示の吸収性物品において、親油性薬剤が、所望による第２関係式を満たすために、例えば、圧搾本体部を形成する前、又は形成した後に、圧搾本体部に、薬剤配置層非圧搾部よりも少ない量の親油性薬剤を塗工し、そして圧搾隣接部に、薬剤配置層非圧搾部よりも多い量の親油性薬剤を塗工することができる。
【０１１６】
また、親油性薬剤が第２関係式を満たす吸収性物品は、上述の一対のエンボスロールを用いて製造することができる。
例えば、薬剤配置層に親油性薬剤を均一に塗工した後、上述の一対のエンボスロールを用いて、薬剤配置層等に、親油性薬剤が突起部の中心から周縁を通って圧搾本体部の外側、すなわち、圧搾隣接部に移動するように圧搾本体部を形成することにより、圧搾本体部に位置する親油性薬剤が、圧搾隣接部に移動するため、親油性薬剤が第２関係式を満たす吸収性物品を製造することができる。
【０１１７】
本開示の吸収性物品では、圧搾本体部、圧搾隣接部、薬剤配置層非圧搾部等における親油性薬剤の坪量は、以下の通り測定される。
（１）温度：２０±５℃及び湿度：６５±５％ＲＨの恒温恒湿室に、キーエンス社製デジタルマイクロスコープ（商品名：ＶＨＸ−２０００）と、付属のソフトウェアとを準備する。
（２）複数枚の吸収性物品を準備し、液体窒素にて、各吸収性物品中の薬剤を固化させる。
（３）薬剤を固化させた吸収性物品から、カッター等を用いて、圧搾本体部、圧搾隣接部、薬剤配置層非圧搾部等（以下、「各部」と称する）のサンプルを切り出す。なお、各サンプルは、薬剤配置層以外の層、例えば、液不透過性シートを含むように切り出してもよい。
【０１１８】
（４）サンプルの平面方向の所定面積：Ｓ1（ｍ2）は、デジタルマイクロスコープを用いて、サンプルの液不透過性シート側の面の画像を、吸収性物品の厚さ方向から撮影し、デジタルマイクロスコープに付属のソフトウェアを用いて計測する。
（５）各サンプルの質量：ｍ1（ｇ）を測定する。
（６）各サンプルを、親油性薬剤を溶解させることができる洗浄溶媒（例えば、トルエン）で洗浄する。
【０１１９】
（７）洗浄後の各サンプルを、７０℃で１時間乾燥し、乾燥後の質量：ｍ2（ｇ）を測定する。
（８）各サンプルの薬剤の坪量：ｂｓ（ｇ／ｍ2）を、次の式：
ｂｓ（ｇ／ｍ2）＝（ｍ1−ｍ2）／Ｓ1
から算出する。
（９）異なる吸収性物品を用いて、各サンプルの温感溶液の坪量を、計１０回測定し、それらの平均値を、各部の薬剤の坪量として採用する。
なお、各部における薬剤の坪量の高低であれば、液体窒素にて、各吸収性物品中の薬剤を固化させた後、各部の断面等を光学顕微鏡等で観察することにより、目視で評価することができる。
【０１２０】
本開示の吸収性物品が、薬剤配置領域において、薬剤配置層圧搾部に隣接しており且つ薬剤配置層を圧搾していない薬剤配置層非圧搾部をさらに備える場合には、薬剤配置層非圧搾部における親油性薬剤の薬剤密度が、圧搾本体部における親油性薬剤の薬剤密度よりも高く且つ圧搾隣接部における親油性薬剤の薬剤密度よりも低いことが好ましい。そうすることにより、吸収性物品に体圧等の加重が加わった場合に、薬剤配置層非圧搾部に配置された親油性薬剤が、吸収体が保持している体液が着用者に触れる（戻る）ことを抑制することができる。
【０１２１】
本開示の吸収性物品では、圧搾本体部が、低圧搾部と、高圧搾部とを備えることができる。本開示の吸収性物品では、圧搾本体部が、例えば、低圧搾部と、低圧搾部内に配置され且つ低圧搾部より圧搾度の高い高圧搾部とを備えることができる。
本開示の吸収性物品において、圧搾本体部が、低圧搾部と、高圧搾部とを備える場合には、高圧搾部における親油性薬剤の薬剤密度が、低圧搾部における親油性薬剤の薬剤密度よりも低いことが好ましい。
【０１２２】
そうすることにより、繊維密度の高い圧搾本体部の中でも特に繊維密度が高く、体液を引き込む能力が高い高圧搾部が、体液の吸収性に優れる。一方、低圧搾部は、高圧搾部よりも厚さ方向の高さ（肌当接面側の高さ）が高い傾向にあり且つ所定量の親油性薬剤を有することから、吸収性物品に体圧等の加重が加わった場合であっても、低圧搾部が、高圧搾部における体液の戻りを抑制し、そして高圧搾部において体液が戻った場合であっても、低圧搾部が、体液が着用者に触れることを抑制することができる。
【０１２３】
高圧搾部における親油性薬剤の薬剤密度が、低圧搾部における親油性薬剤の薬剤密度よりも低い吸収性物品は、以下の一対のエンボスロールを用いて製造することができる。
例えば、複数の突起部であって、そのそれぞれが、低圧搾部用の基部と、高圧搾部用の、基部から突出する複数の凸部とを備えるものを備えるエンボスロールと、アンビルロールとから構成される一対のエンボスロールを準備する。なお、各突起部では、各凸部が湾曲した頂面を有し、そして基部が湾曲した頂面を有する。
【０１２４】
湾曲した頂面を有する凸部としては、凸部の中心ほど突出度が高く、凸部の周縁ほど突出度が低い（各凸部の中心ほどアンビルロールとのギャップが小さく、各凸部の周縁ほどアンビルロールとのギャップが大きいもの）ものが挙げられる。湾曲した頂面を有する基部としては、基部の中心ほど突出度が高く、基部の周縁ほど突出度が低いもの（基部の中心ほどアンビルロールとのギャップが小さく、基部の周縁ほどアンビルロールとのギャップが大きいもの）が挙げられる。
【０１２５】
次いで、薬剤配置層に親油性薬剤を均一に塗工した後、上述の一対のエンボスロールを用いて、薬剤配置層等に、親油性薬剤の少なくとも一部が、各凸部の中心から周縁を通って基部に移動し、次いで、親油性薬剤の少なくとも一部が、基部の中心から周縁を通って基部の外側（圧搾本体部の外側、すなわち、圧搾隣接部）に移動するように圧搾本体部を形成することにより、圧搾本体部に位置する親油性薬剤が、圧搾隣接部に移動し、親油性薬剤が第２関係式を満たす吸収性物品は、上述の一対のエンボスロールを用いて製造することができる。
【０１２６】
なお、低圧搾部及び高圧搾部における親油性薬剤の薬剤密度の高低は、液体窒素にて、各吸収性物品中の薬剤を固化させた後、それらの断面等を光学顕微鏡等で観察することにより、目視で評価することができる。
【０１２７】
本開示の吸収性物品において、圧搾本体部が、熱融着繊維を含む層、例えば、熱融着性繊維を含む液透過性シート、熱融着性繊維を含む、吸収体のコアラップ等を含む場合には、熱融着性繊維が、部分的に熱融着していることが好ましい。そうすることにより、圧搾本体部が、熱融着した熱融着性繊維の毛細管効果により、圧搾本体部に到達した体液を、圧搾本体部の内部に引き込みやすくなる。
【０１２８】
本開示の吸収性物品では、薬剤配置領域（及び薬剤配置層）は、吸収性物品の平面方向において、任意の位置に配置されることができる。上記薬剤配置領域（及び薬剤配置層）は、例えば、吸収性物品の吸収性を阻害しないように、吸収性物品の幅方向の両端（例えば、吸収性物品の排泄口当接域を挟んだ両端）に、お互いに離間して配置されることができる。また、上記薬剤配置領域（及び薬剤配置層）は、例えば、吸収体と、吸収性物品の厚さ方向に重複する範囲に少なくとも配置されることができ、そして吸収性物品の全面に配置されることができる。なお、吸収性物品の全面には、吸収性物品の、一対のサイドフラップ、一対のヒップフラップ、吸収性物品の端縁、例えば、液透過性シート及び液不透過性シートを接合する接合部、例えば、シール部は、除外されうる。
【符号の説明】
【０１２９】
１    吸収性物品
３    液透過性シート
５    肌当接面
７    非肌当接面
９    液不透過性シート
１１    吸収体
１３    親油性薬剤
１５    薬剤配置層
１７    薬剤配置領域
１９    圧搾部
２１    薬剤配置層圧搾部
２３    非薬剤配置層圧搾部
２５    圧搾本体部
２７    低圧搾部
２９    高圧搾部
３１    圧搾隣接部
３３    薬剤配置層非圧搾部
Ｌ    長手方向
Ｗ    幅方向
Ｔ    厚さ方向
Ｐ    平面方向
【図１】
2019118507.tif 000003
【図２】
2019118507.tif 000004
【図３】
2019118507.tif 000005
【図４】
2019118507.tif 000006
【図５】
2019118507.tif 000007
【図６】
2019118507.tif 000008
【図７】
2019118507.tif 000009
【図８】
2019118507.tif 000010